【手続補正書】
【提出日】平成27年3月11日(2015.3.11)
【手続補正１】
【補正対象書類名】明細書
【補正対象項目名】発明の名称
【補正方法】変更
【補正の内容】
【発明の名称】画像形成装置及びその制御方法、並びにプログラム
【手続補正２】
【補正対象書類名】明細書
【補正対象項目名】０００１
【補正方法】変更
【補正の内容】
【０００１】
本発明は、画像形成装置及びその制御方法、並びにプログラムに関する。
【手続補正３】
【補正対象書類名】明細書
【補正対象項目名】０００７
【補正方法】変更
【補正の内容】
【０００７】
本発明の目的は、これらの問題点を解決し、画像形成装置の使い勝手を向上させることにある。
【手続補正４】
【補正対象書類名】明細書
【補正対象項目名】０００８
【補正方法】変更
【補正の内容】
【０００８】
上記目的を達成するために、請求項１の画像形成装置は、前記画像形成装置で発生したエラーをスキップするための指示をユーザから受け付ける受付手段と、前記画像形成装置で発生する複数のエラーのうち特定のエラーを、前記受付手段によって受け付けられた指示に応じてスキップ可能なエラー若しくはスキップ不可能なエラーとして設定する設定手段と、前記画像形成装置において前記特定のエラーが発生した際、前記設定手段が前記特定のエラーをスキップ可能なエラーとして設定したときは前記特定のエラーがスキップ可能であることを前記ユーザに通知し、前記設定ユニットが前記特定のエラーをスキップ不可能なエラーとして設定したときは前記特定のエラーがスキップ不可能であることを前記ユーザに通知する通知ユニットとを備えたことを特徴とする。
【手続補正５】
【補正対象書類名】明細書
【補正対象項目名】０００９
【補正方法】変更
【補正の内容】
【０００９】
本発明によれば、発生したエラーがスキップ可能か否かを明示することができ、画像形成装置の使い勝手を向上させることができる。
【手続補正６】
【補正対象書類名】明細書
【補正対象項目名】００１０
【補正方法】変更
【補正の内容】
【００１０】
【図１】本発明の実施の形態に係る画像形成装置の一例としての画像処理装置を含む画像処理システムの概略構成を示す図である。
【図２】図１におけるＰＣのハードウェア構成を示す図である。
【図３】図１における画像処理装置のハードウェア構成を示す図である。
【図４】図２における表示部にＵＩアプリケーションによって表示される画面例を示す図である。
【図５】図１における画像処理装置のステータスの一覧を示す図である。
【図６】図２における操作部を示す図である。
【図７】図３におけるＮＶＭＥＭに記憶される管理テーブルを示す図である。
【図８】図３におけるＣＰＵにより実行される操作部制御処理の手順を示すフローチャートである。
【図９】図２におけるＣＰＵにより実行される操作部制御処理の手順を示すフローチャートである。
【図１０】図３におけるＮＶＭＥＭに記憶される管理テーブルの変形例を示す図である。
【図１１】図３におけるＮＶＭＥＭに記憶されるスキップ処理拡張設定を示す図である。
【図１２】図３におけるＣＰＵにより実行される操作部制御処理の変形例の手順を示すフローチャートである。
【手続補正７】
【補正対象書類名】特許請求の範囲
【補正対象項目名】全文
【補正方法】変更
【補正の内容】
【特許請求の範囲】
【請求項１】
画像形成装置であって、
前記画像形成装置で発生したエラーをスキップするための指示をユーザから受け付ける受付手段と、
前記画像形成装置で発生する複数のエラーのうち特定のエラーを、前記受付手段によって受け付けられた指示に応じてスキップ可能なエラー若しくはスキップ不可能なエラーとして設定する設定手段と、
前記画像形成装置において前記特定のエラーが発生した際、前記設定手段が前記特定のエラーをスキップ可能なエラーとして設定したときは前記特定のエラーがスキップ可能であることを前記ユーザに通知し、前記設定ユニットが前記特定のエラーをスキップ不可能なエラーとして設定したときは前記特定のエラーがスキップ不可能であることを前記ユーザに通知する通知ユニットと、
を備えたことを特徴とする画像形成装置。
【請求項２】
前記通知手段は発光部を含み、前記発光部を点灯することによって前記特定のエラーはスキップ可能であることを通知し、前記発光部を消灯することによって前記特定のエラーはスキップ不可能であることを通知することを特徴とする請求項１記載の画像形成装置。
【請求項３】
前記通知手段はＬＥＤを含むことを特徴とする請求項１または請求項２記載の画像形成装置。
【請求項４】
前記特定のエラーは用紙に関連するエラーであることを特徴とする請求項１乃至３のいずれか１項に記載の画像形成装置。
【請求項５】
前記設定手段が前記特定のエラーを前記スキップ可能なエラーとして設定した場合、前記受付手段が前記指示を受け付けたことに応じて、前記特定のエラーをスキップし、印刷を実行する実行手段をさらに備えることを特徴とする請求項１乃至４のいずれか１項に記載の画像形成装置。
【請求項６】
前記設定手段が前記特定のエラーを前記スキップ可能なエラーとして設定した場合、前記特定のエラーはスキップ可能であることを前記画像形成装置にネットワークを介して接続される外部装置に通知し、前記設定手段が前記特定のエラーを前記スキップ不可能なエラーとして設定した場合、前記特定のエラーはスキップ不可能であることを前記画像形成装置に前記ネットワークを介して接続される前記外部装置に通知するネットワーク通信手段をさらに備えることを特徴とする請求項１乃至５のいずれか１項に記載の画像形成装置。
【請求項７】
前記画像形成装置で発生する複数の前記エラーは複数のグループに分類され、
前記設定手段は、前記分類された複数のグループのうちの特定のグループに属する特定のエラーをスキップ可能なエラーとして設定することを特徴とする請求項１乃至６のいずれか１項に記載の画像形成装置。
【請求項８】
画像形成装置の制御方法であって、
前記画像形成装置で発生したエラーをスキップするための指示をユーザから受け付ける受付ステップと、
前記画像形成装置で発生する複数のエラーのうち特定のエラーを、前記受付ステップにおいて受け付けられた指示に応じてスキップ可能なエラー若しくはスキップ不可能なエラーとして設定する設定ステップと、
前記画像形成装置において前記特定のエラーが発生した際、前記設定ステップにおいて前記特定のエラーがスキップ可能なエラーとして設定されたときは前記特定のエラーがスキップ可能であることを前記ユーザに通知し、前記設定ステップにおいて前記特定のエラーがスキップ不可能なエラーとして設定されたときは前記特定のエラーがスキップ不可能であることを前記ユーザに通知する通知ステップと、
を備えたことを特徴とする画像形成装置の制御方法。
【請求項９】
画像形成装置の制御方法をコンピュータに実行させるためのプログラムであって、
前記制御方法は、
前記画像形成装置で発生したエラーをスキップするための指示をユーザから受け付ける受付ステップと、
前記画像形成装置で発生する複数のエラーのうち特定のエラーを、前記受付ステップにおいて受け付けられた指示に応じてスキップ可能なエラー若しくはスキップ不可能なエラーとして設定する設定ステップと、
前記画像形成装置において前記特定のエラーが発生した際、前記設定ステップにおいて前記特定のエラーがスキップ可能なエラーとして設定されたときは前記特定のエラーがスキップ可能であることを前記ユーザに通知し、前記設定ステップにおいて前記特定のエラーがスキップ不可能なエラーとして設定されたときは前記特定のエラーがスキップ不可能であることを前記ユーザに通知する通知ステップと、
を備えたことを特徴とするプログラム。